(57)【要約】【課題】  不要な信号の減衰と、通信信号の挿入損失の低減との両立を容易に図ることができるアンテナ切換モジュールを提供する。【解決手段】  アンテナ切換モジュール１０は、アンテナ端子ＡＮＴとダイプレクサ回路ＤＰとを接続する信号経路に、ＤＣＳシステムの通信高調波帯域内の周波数に減衰極を形成するローパスフィルタ回路ＬＰＦ１を配設し、ダイプレクサ回路ＤＰ内におけるスイッチ回路ＳＷ２に接続する信号経路に、ＤＣＳシステムの通信周波数帯域内の周波数に減衰極を形成するローパスフィルタ回路ＬＰＦ２を配設し、スイッチ回路ＳＷ２と送信端子ＴＸ２とを接続する信号経路に、ＥＧＳＭシステムの送信二次高調波帯域内の周波数に減衰極を形成するローパスフィルタ回路ＬＰＦ３を配設した。【選択図】  図３
2005260837.tif 000002
【特許請求の範囲】
【請求項１】
通信周波数帯域の異なる複数の通信システムの送信回路および受信回路と、通信電波の送受信を行うアンテナ部との間における信号経路の切換を行うアンテナ切換回路の少なくとも一部を、誘電体セラミック層を積層した積層体に形成したアンテナ切換モジュールであって、
前記アンテナ切換回路は、
前記複数の通信システムのうち比較的に低い通信周波数帯域を用いる低周波側通信システムに対する前記信号経路の切換を行う低周波側スイッチ回路と、
前記複数の通信システムのうち前記低周波側通信システムの通信周波数の２倍波近傍の通信周波数帯域を用いる高周波側通信システムに対する前記信号経路の切換を行う高周波側スイッチ回路と、
前記低周波側スイッチ回路および前記高周波側スイッチ回路と前記アンテナ部との間における各受信信号および各送信信号の分配を行うダイプレクサ回路と
を備え、
前記アンテナ部と前記ダイプレクサ回路とを接続する信号経路に、前記高周波側通信システムの通信周波数帯域に対する高調波帯域内の周波数に減衰極を形成する第１のローパスフィルタを配設し、
前記ダイプレクサ回路内における前記低周波側スイッチ回路に接続する信号経路に、前記高周波側通信システムの通信周波数帯域内の周波数に減衰極を形成する第２のローパスフィルタを配設し、
前記低周波側スイッチ回路と前記低周波側通信システムの送信回路とを接続する信号経路に、前記低周波側通信システムの送信周波数帯域に対する二次高調波帯域内の周波数に減衰極を形成する第３のローパスフィルタを配設した
アンテナ切換モジュール。
【請求項２】
前記第１のローパスフィルタの減衰極周波数は、前記高周波側通信システムの通信周波数帯域に対する二次高調波帯域内の周波数である請求項１記載のアンテナ切換モジュール。
【請求項３】
前記第２のローパスフィルタの減衰極周波数は、前記高周波側通信システムの送信周波数帯域または受信周波数帯域の中心周波数である請求項１または２記載のアンテナ切換モジュール。
【請求項４】
請求項１ないし３のいずれか記載のアンテナ切換モジュールであって、
前記第３のローパスフィルタの減衰極周波数は、前記低周波側通信システムの最大送信周波数または最小送信周波数の２倍となる周波数のうち、前記第２のローパスフィルタの減衰極周波数との間で作る周波数帯域が、前記低周波側通信システムの送信周波数帯域に対する二次高調波帯域に対してより広範囲に重なる一方の周波数である
アンテナ切換モジュール。
【請求項５】
前記ダイプレクサ回路内における前記高周波側スイッチ回路に接続する信号経路に、前記低周波側通信システムの通信周波数帯域内の周波数に減衰極を形成するハイパスフィルタを配設した請求項１ないし４のいずれか記載のアンテナ切換モジュール。
【請求項６】
前記ハイパスフィルタの減衰極周波数は、前記低周波側通信システムの送信周波数帯域または受信周波数帯域の中心周波数である請求項５記載のアンテナ切換モジュール。
【請求項７】
請求項１ないし６のいずれか記載のアンテナ切換モジュールであって、
前記低周波側スイッチ回路は、ＧＳＭ８５０システムまたはＥＧＳＭシステムの少なくとも１つに準拠した前記低周波側通信システムに対する前記信号経路の切換を行い、
前記高周波側スイッチ回路は、ＤＣＳシステムまたはＰＣＳシステムの少なくとも１つに準拠した前記高周波側通信システムに対する前記信号経路の切換を行う
アンテナ切換モジュール。
【請求項８】
請求項１ないし７のいずれか記載のアンテナ切換モジュールであって、
前記高周波側スイッチ回路は、
前記ダイプレクサ回路に接続される１つのダイプレクサポートと、
所定の高周波側通信システムの送信回路に接続される１つの送信ポートと、
前記所定の高周波側通信システムの受信回路に接続される１つの受信ポートと
を備えた
アンテナ切換モジュール。
【請求項９】
請求項１ないし７のいずれか記載のアンテナ切換モジュールであって、
前記高周波側スイッチ回路は、
前記ダイプレクサ回路に接続される１つのダイプレクサポートと、
２つの異なる高周波側通信システムの各送信回路に共通して接続される１つの送信ポートと、
前記２つの異なる高周波側通信システムの各受信回路にそれぞれ接続される２つの受信ポートと
を備えた
アンテナ切換モジュール。
【請求項１０】
請求項１記載のアンテナ切換モジュールであって、
前記低周波側スイッチ回路は、ＥＧＳＭシステムに準拠した前記低周波側通信システムに対する前記信号経路の切換を行い、
前記高周波側スイッチ回路は、ＤＣＳシステムに準拠した前記高周波側通信システムに対する前記信号経路の切換を行い、
前記第１のローパスフィルタの減衰極周波数は、３．４２〜３．５７ギガヘルツであり、
前記第２のローパスフィルタの減衰極周波数は、１．７２〜１．７８ギガヘルツであり、
前記第３のローパスフィルタの減衰極周波数は、１．８０〜１．８６ギガヘルツである
アンテナ切換モジュール。
【請求項１１】
請求項１記載のアンテナ切換モジュールであって、
前記低周波側スイッチ回路は、ＥＧＳＭシステムに準拠した前記低周波側通信システムに対する前記信号経路の切換を行い、
前記高周波側スイッチ回路は、ＤＣＳシステムに準拠した前記高周波側通信システムに対する前記信号経路の切換を行い、
前記第１のローパスフィルタの減衰極周波数は、３．４２〜３．５７ギガヘルツであり、
前記第２のローパスフィルタの減衰極周波数は、１．８１〜１．８７ギガヘルツであり、
前記第３のローパスフィルタの減衰極周波数は、１．７３〜１．７９ギガヘルツである
アンテナ切換モジュール。
【請求項１２】
通信周波数帯域の異なる複数の通信システムの送信回路および受信回路と、通信電波の送受信を行うアンテナ部との間における信号経路の切換を行うアンテナ切換回路の少なくとも一部を、誘電体セラミック層を積層した積層体に形成し、
前記アンテナ切換回路は、
前記複数の通信システムのうち比較的に低い通信周波数帯域を用いる低周波側通信システムに対する前記信号経路の切換を行う低周波側スイッチ回路と、
前記複数の通信システムのうち前記低周波側通信システムの通信周波数の２倍波近傍の通信周波数帯域を用いる高周波側通信システムに対する前記信号経路の切換を行う高周波側スイッチ回路と、
前記低周波側スイッチ回路および前記高周波側スイッチ回路と前記アンテナ部との間における各受信信号および各送信信号の分配を行うダイプレクサ回路と
を備えた
アンテナ切換モジュールの設計方法であって、
前記アンテナ部と前記ダイプレクサ回路とを接続する信号経路に設けた第１のローパスフィルタの減衰極を、前記高周波側通信システムの通信周波数帯域に対する高調波帯域内の周波数とし、
前記ダイプレクサ回路内における前記低周波側スイッチ回路に接続する信号経路に設けた第２のローパスフィルタの減衰極を、前記高周波側通信システムの通信周波数帯域内の周波数とし、
前記低周波側スイッチ回路と前記低周波側通信システムの送信回路とを接続する信号経路に設けた第３のローパスフィルタの減衰極を、前記低周波側通信システムの送信周波数帯域に対する二次高調波帯域内の周波数とする
アンテナ切換モジュールの設計方法。
【発明の詳細な説明】
【技術分野】
【０００１】
本発明は、誘電体セラミック層を積層した積層体にアンテナ切換回路の少なくとも一部を形成したアンテナ切換モジュールおよびその設計方法に関するものである。
【背景技術】
【０００２】
携帯電話等の移動体通信機器には、通信周波数帯域の異なる複数の電波通信が可能な、いわゆるマルチバンド対応の通信機器が知られている。マルチバンド対応の通信機器は、通信周波数帯域の異なる複数の通信システムのそれぞれに対応した送信回路および受信回路と、通信電波の送受信を行うアンテナ部と、これら複数の送信回路および受信回路とアンテナ部との間における信号経路の切換を行うアンテナ切換回路を形成するアンテナ切換モジュールとを備える。
【０００３】
従来、アンテナ切換モジュールには、小型化・高集積化を図るため、誘電体セラミックス層を積層した積層体にアンテナ切換回路の少なくとも一部を形成したアンテナ切換モジュールが知られている。アンテナ切換回路の信号経路には、高調波等の不要な信号を減衰させるために種々のフィルタ回路が配設されている。下記特許文献には、種々のフィルタ回路がアンテナ切換回路の信号経路に配設されたアンテナ切換モジュールが開示されている。
【０００４】
【特許文献１】特開２０００−１６５２８８号公報
【発明の開示】
【発明が解決しようとする課題】
【０００５】
しかしながら、従来、アンテナ切換回路におけるフィルタ回路については、充分な検討がなされていなかった。フィルタ回路は、不要な信号を減衰させると共に、通信信号も少なからず減衰させるため、不要な信号の減衰と、通信信号の挿入損失の低減とを両立を図ることは困難であった。
【０００６】
本発明は、上記した課題を解決することを目的としてなされ、不要な信号の減衰と、通信信号の挿入損失の低減との両立を容易に図ることができるアンテナ切換モジュールを提供することを目的とする。
【課題を解決するための手段】
【０００７】
上記した課題を解決するため、本発明のアンテナ切換モジュールは、通信周波数帯域の異なる複数の通信システムの送信回路および受信回路と、通信電波の送受信を行うアンテナ部との間における信号経路の切換を行うアンテナ切換回路の少なくとも一部を、誘電体セラミック層を積層した積層体に形成したアンテナ切換モジュールであって、前記アンテナ切換回路は、前記複数の通信システムのうち比較的に低い通信周波数帯域を用いる低周波側通信システムに対する前記信号経路の切換を行う低周波側スイッチ回路と、前記複数の通信システムのうち前記低周波側通信システムの通信周波数の２倍波近傍の通信周波数帯域を用いる高周波側通信システムに対する前記信号経路の切換を行う高周波側スイッチ回路と、前記低周波側スイッチ回路および前記高周波側スイッチ回路と前記アンテナ部との間における各受信信号および各送信信号の分配を行うダイプレクサ回路とを備え、前記アンテナ部と前記ダイプレクサ回路とを接続する信号経路に、前記高周波側通信システムの通信周波数帯域に対する高調波帯域内の周波数に減衰極を形成する第１のローパスフィルタを配設し、前記ダイプレクサ回路内における前記低周波側スイッチ回路に接続する信号経路に、前記高周波側通信システムの通信周波数帯域内の周波数に減衰極を形成する第２のローパスフィルタを配設し、前記低周波側スイッチ回路と前記低周波側通信システムの送信回路とを接続する信号経路に、前記低周波側通信システムの送信周波数帯域に対する二次高調波帯域内の周波数に減衰極を形成する第３のローパスフィルタを配設したことを特徴とする。
【０００８】
本発明のアンテナ切換モジュールによれば、第１のローパスフィルタの配置および特性によって、高周波側通信システムおよび低周波側通信システムに共通した高調波を減衰させると共に、このローパスフィルタの挿入損失が急増する周波数を、高周波側通信システムおよび低周波側通信システムの通信周波数帯域から充分に離し、通信信号の挿入損失の低減を図ることができる。また、第２のローパスフィルタの配置および特性によって、このローパスフィルタ側では、低周波側通信システムの二次高調波近傍の不要な信号を減衰させると共に、このローパスフィルタに結合されたダイプレクサ回路内のハイパスフィルタ側では、減衰極周波数近傍となる高周波側通信システムの通信信号の挿入損失の低減を図ることができる。また、第３のローパスフィルタの配置および特性によって、第２のローパスフィルタと共に、低周波側通信システムの送信信号の二次高調波を減衰させる減衰帯域を幅広く確保することができる。これらの結果、不要な信号の減衰と、通信信号の挿入損失の低減との両立を容易に図ることができる。
【０００９】
上記の構成を有する本発明のアンテナ切換モジュールは、以下の態様を採ることもできる。前記第１のローパスフィルタの減衰極周波数は、前記高周波側通信システムの通信周波数帯域に対する二次高調波帯域内の周波数であることとしても良い。これによって、高調波の中でも比較的レベルの高い次数の高調波を充分に減衰させることができる。
【００１０】
また、前記第２のローパスフィルタの減衰極周波数は、前記高周波側通信システムの送信周波数帯域または受信周波数帯域の中心周波数であることとしても良い。これによって、減衰極を送信周波数帯域の中心周波数とした場合には、高周波側通信システムの送信信号に対しての挿入損失の低減を重視したフィルタ特性を得ることができ、減衰極を受信周波数帯域の中心周波数とした場合には、高周波側通信システムの受信信号に対しての挿入損失の低減を重視したフィルタ特性を得ることができる。
【００１１】
また、前記第３のローパスフィルタの減衰極周波数は、前記低周波側通信システムの最大送信周波数または最小送信周波数の２倍となる周波数のうち、前記第２のローパスフィルタの減衰極周波数との間で作る周波数帯域が、前記低周波側通信システムの送信周波数帯域に対する二次高調波帯域に対してより広範囲に重なる一方の周波数であることとしても良い。これによって、低周波側通信システムの送信信号の二次高調波を減衰させる減衰帯域を充分に確保することができる。
【００１２】
また、前記ダイプレクサ回路内における前記高周波側スイッチ回路に接続する信号経路に、前記低周波側通信システムの通信周波数帯域内の周波数に減衰極を形成するハイパスフィルタを配設しても良い。これによって、このハイパスフィルタに結合されたダイプレクサ回路内の第２のローパスフィルタ側では、減衰極周波数近傍となる低周波側通信システムの通信信号の挿入損失の低減を図ることができる。さらに、前記ハイパスフィルタの減衰極周波数は、前記低周波側通信システムの送信周波数帯域または受信周波数帯域の中心周波数であることとしても良い。これによって、減衰極を送信周波数帯域の中心周波数とした場合には、低周波側通信システムの送信信号に対しての挿入損失の低減を重視したフィルタ特性を得ることができ、減衰極を受信周波数帯域の中心周波数とした場合には、低周波側通信システムの受信信号に対しての挿入損失の低減を重視したフィルタ特性を得ることができる。
【００１３】
低周波側通信システムがＥＧＳＭ(Extended Global System for Mobile Communications)システム（送信周波数帯域：０．８８０〜０．９１５ギガヘルツ（以下、ＧＨｚと表記する）,受信周波数帯域：０．９２５〜０．９６０ＧＨｚ）に準拠し、高周波側通信システムがＤＣＳ(Digital Communication System)システム（送信周波数帯域：１.７１０〜１.７８５ＧＨｚ,受信周波数帯域：１.８０５〜１.８８０ＧＨｚ）に準拠する場合に、各ローパスフィルタが形成する減衰極の具体的な数値として、前記低周波側スイッチ回路は、ＥＧＳＭシステムに準拠した前記低周波側通信システムに対する前記信号経路の切換を行い、前記高周波側スイッチ回路は、ＤＣＳシステムに準拠した前記高周波側通信システムに対する前記信号経路の切換を行い、前記第１のローパスフィルタの減衰極周波数は、３．４２〜３．５７ギガヘルツであり、前記第２のローパスフィルタの減衰極周波数は、１．７２〜１．７８ギガヘルツであり、前記第３のローパスフィルタの減衰極周波数は、１．８０〜１．８６ギガヘルツであることとしても良い。これによって、ＤＣＳシステムの送信信号に対しての挿入損失の低減を重視したフィルタ特性を得ることができる。
【００１４】
また、前記低周波側スイッチ回路は、ＥＧＳＭシステムに準拠した前記低周波側通信システムに対する前記信号経路の切換を行い、前記高周波側スイッチ回路は、ＤＣＳシステムに準拠した前記高周波側通信システムに対する前記信号経路の切換を行い、前記第１のローパスフィルタの減衰極周波数は、３．４２〜３．５７ギガヘルツであり、前記第２のローパスフィルタの減衰極周波数は、１．８１〜１．８７ギガヘルツであり、前記第３のローパスフィルタの減衰極周波数は、１．７３〜１．７９ギガヘルツであることとしても良い。これによって、ＤＣＳシステムの受信信号に対しての挿入損失の低減を重視したフィルタ特性を得ることができる。
【００１５】
なお、前記高周波側スイッチ回路は、前記ダイプレクサ回路に接続される１つのダイプレクサポートと、所定の高周波側通信システムの送信回路に接続される１つの送信ポートと、前記所定の高周波側通信システムの受信回路に接続される１つの受信ポートとを備えた回路であっても良いし、前記高周波側スイッチ回路は、前記ダイプレクサ回路に接続される１つのダイプレクサポートと、２つの異なる高周波側通信システムの各送信回路に共通して接続される１つの送信ポートと、前記２つの異なる高周波側通信システムの各受信回路にそれぞれ接続される２つの受信ポートとを備えた回路であっても良い。
【００１６】
上記した課題を解決するため、本発明のアンテナ切換モジュールの設計方法は、通信周波数帯域の異なる複数の通信システムの送信回路および受信回路と、通信電波の送受信を行うアンテナ部との間における信号経路の切換を行うアンテナ切換回路の少なくとも一部を、誘電体セラミック層を積層した積層体に形成し、前記アンテナ切換回路は、前記複数の通信システムのうち比較的に低い通信周波数帯域を用いる低周波側通信システムに対する前記信号経路の切換を行う低周波側スイッチ回路と、前記複数の通信システムのうち前記低周波側通信システムの通信周波数の２倍波近傍の通信周波数帯域を用いる高周波側通信システムに対する前記信号経路の切換を行う高周波側スイッチ回路と、前記低周波側スイッチ回路および前記高周波側スイッチ回路と前記アンテナ部との間における各受信信号および各送信信号の分配を行うダイプレクサ回路とを備えたアンテナ切換モジュールの設計方法であって、前記アンテナ部と前記ダイプレクサ回路とを接続する信号経路に設けた第１のローパスフィルタの減衰極を、前記高周波側通信システムの通信周波数帯域に対する高調波帯域内の周波数とし、前記ダイプレクサ回路内における前記低周波側スイッチ回路に接続する信号経路に設けた第２のローパスフィルタの減衰極を、前記高周波側通信システムの通信周波数帯域内の周波数とし、前記低周波側スイッチ回路と前記低周波側通信システムの送信回路とを接続する信号経路に設けた第３のローパスフィルタの減衰極を、前記低周波側通信システムの送信周波数帯域に対する二次高調波帯域内の周波数とすることを特徴とする。
【００１７】
本発明のアンテナ切換モジュールの設計方法によれば、不要な信号の減衰と、通信信号の挿入損失の低減との両立を図ることができるアンテナ切換モジュールを容易に設計することができる。
【発明を実施するための最良の形態】
【００１８】
以上説明した本発明の構成および作用を一層明らかにするために、以下本発明を適用したアンテナ切換モジュールについて、次の順序で説明する。
【００１９】
Ａ．第１の実施例
Ａ−（１）．アンテナ切換モジュール１０の構成
Ａ−（２）．アンテナ切換モジュール１０の回路構成
Ａ−（３）．アンテナ切換モジュール１０のフィルタ特性
Ａ−（４）．アンテナ切換回路ＡＣ１の等価回路の一例
Ａ−（５）．アンテナ切換モジュール１０の製造方法
Ｂ．第２の実施例
Ｃ．その他の実施形態
【００２０】
Ａ．第１の実施例：
本発明の第１の実施例であるアンテナ切換モジュール１０は、ＥＧＳＭ(Extended Global System for Mobile Communications)，ＤＣＳ(Digital Communication System)，ＰＣＳ(Personal Communication Service)の３つの通信システムに準拠した、いわゆるトリプルバンドの携帯電話に搭載されるモジュールである。
【００２１】
Ａ−（１）．アンテナ切換モジュール１０の構成：
アンテナ切換モジュール１０の構成について説明する。図１は、アンテナ切換モジュール１０の外観構造を示す斜視図である。アンテナ切換モジュール１０は、誘電体セラミックス層を積層した四角柱状の積層体１００を備え、携帯電話における通信周波数の異なる複数の通信システムの送信回路および受信回路と、通信電波の送受信を行うアンテナ部との間に実装されるモジュールである。積層体１００には、その各層に形成された導体パターンによって、携帯電話における複数の通信システムとアンテナ部との間における信号経路の切換を行うアンテナ切換回路ＡＣ１の少なくとも一部が形成されている。なお、積層体１００の積層面の一辺は、５ミリメートル（以下、ｍｍと表記する）程度である。
【００２２】
積層体１００の最上層表面には、各層の導体パターンと共にアンテナ切換回路ＡＣ１を形成するＳＡＷ(Surface Acoustic Wave)フィルタ１２１，１２２、ダイオード１３１，コイル１４１，抵抗器１５１などの種々の実装部品が実装されている。これら実装部品の上部は、積層体１００の最上面に半田付けされた導体金属製のシールドキャップ１６０によって覆われている。シールドキャップ１６０は、アンテナ切換モジュール１０が実装された際に、積層体１００の最上面を介してグランドに接続される。
【００２３】
図２は、アンテナ切換モジュール１０の底面図である。積層体１００の最下層表面には種々の接続端子として、アンテナ部に接続されるアンテナ端子ＡＮＴの他、ＥＧＳＭ系に関する接続端子としては、ＥＧＳＭ系の送信回路に接続される送信端子ＴＸ２と、ＥＧＳＭ系の受信回路に接続される受信端子ＲＸ２ａ，ＲＸ２ｂと、ＥＧＳＭ系の送受信経路の切換を制御する制御回路に接続される制御端子ＶＣ２とが設けられている。
【００２４】
ＤＣＳ／ＰＣＳ系に関する接続端子としては、ＤＣＳ／ＰＣＳ系の送信回路に接続される送信端子ＴＸ３４と、ＤＣＳ系の受信回路に接続される受信端子ＲＸ３ａ，ＲＸ３ｂと、ＰＣＳ系の受信回路に接続される受信端子ＲＸ４ａ，ＲＸ４ｂと、ＤＣＳ／ＰＣＳ系の送信経路の入り切り（ＯＮ／ＯＦＦ）の切換を制御する制御端子ＶＣ３４と、ＰＣＳ系の受信経路の入り切り（ＯＮ／ＯＦＦ）の切換を制御する制御端子ＶＣ４とが設けられている。
【００２５】
最下層表面の一辺に並設されたアンテナ端子ＡＮＴ等の接続端子と、対向辺に並設された受信端子ＲＸ４ａ等の接続端子との間には、アンテナ切換モジュール１０が実装された際にグランドに接続されるグランドパターン１９１，１９２，１９３，１９４が設けられている。
【００２６】
Ａ−（２）．アンテナ切換モジュール１０の回路構成：
アンテナ切換モジュール１０が形成するアンテナ切換回路ＡＣ１について説明する。図３は、アンテナ切換回路ＡＣ１の概略を示すブロック図である。アンテナ切換回路ＡＣ１は、ＥＧＳＭ系の信号経路の切換を行うスイッチ回路ＳＷ２と、ＤＣＳ／ＰＣＳ系の信号経路の切換を行うスイッチ回路ＳＷ３４と、スイッチ回路ＳＷ２，ＳＷ３４に対して各受信信号および各送信信号の分配を行うダイプレクサ回路ＤＰとを主要な回路として構成されている。
【００２７】
アンテナ端子ＡＮＴとダイプレクサ回路ＤＰとを接続する信号経路には、ローパスフィルタ回路ＬＰＦ１が配設されている。ローパスフィルタ回路ＬＰＦ１は、ＤＣＳシステムの通信周波数帯域に対する二次高調波帯域（３．４２〜３．５７ＧＨｚ）内の中心周波数である「３．４９５ＧＨｚ」に減衰極を形成している。これによって、例えば、ＤＣＳ／ＰＣＳ両システムの二次高調波帯域の中心周波数である「３．６２ＧＨｚ」に減衰極を形成した場合に比べ、ローパスフィルタ回路ＬＰＦ１のフィルタ特性のばらつきによる減衰極周波数の変動があったとしても、ＤＣＳシステムの二次高調波帯域の低周波数（３．４２ＧＨｚ）側に対して十分な減衰特性を得ることができる。ローパスフィルタ回路ＬＰＦ１の信号通過帯域は、ＧＳＭおよびＤＣＳ，ＰＣＳ系の信号を通過させる帯域、すなわち０．８８０〜１．９９０ＧＨｚである。
【００２８】
ダイプレクサ回路ＤＰは、スイッチ回路ＳＷ２に接続する信号経路に配設されたローパスフィルタ回路ＬＰＦ２と、スイッチ回路ＳＷ３４に接続する信号経路に配設されたハイパスフィルタ回路ＨＰＦとによって構成されている。これらローパスフィルタ回路ＬＰＦ２およびハイパスフィルタ回路ＨＰＦは、共に、前述のローパスフィルタ回路ＬＰＦ１側に接続されている。
【００２９】
ローパスフィルタ回路ＬＰＦ２は、ＤＣＳシステムの送信周波数帯域（１．７１０〜１．７８５ＧＨｚ）の中心周波数である「１．７４７５ＧＨｚ」に減衰極を形成している。ローパスフィルタ回路ＬＰＦ２の信号通過帯域は、ＥＧＳＭ系の信号を通過させる帯域、すなわち０．８８０〜０．９６０ＧＨｚである。ハイパスフィルタ回路ＨＰＦは、ＥＧＳＭシステムの送信周波数帯域（０．８８０〜０．９１５ＧＨｚ）の中心周波数である「０．８９７５ＧＨｚ」に減衰極を形成している。ハイパスフィルタ回路ＨＰＦの信号通過帯域は、ＤＣＳおよびＰＣＳ系の信号を通過させる帯域、すなわち１．７１０〜１．９９０ＧＨｚである。
【００３０】
スイッチ回路ＳＷ２と送信端子ＴＸ２とを接続する信号経路には、ローパスフィルタ回路ＬＰＦ３が配設されている。ローパスフィルタ回路ＬＰＦ３は、ＥＧＳＭシステムの送信周波数帯域に対する二次高調波帯域（１．７６０〜１．８３０ＧＨｚ）の最大周波数である「１．８３０ＧＨｚ」に減衰極を形成している。ローパスフィルタ回路ＬＰＦ３の信号通過帯域は、ＥＧＳＭ系の信号を通過させる帯域、すなわち０．８８０〜０．９６０ＧＨｚである。
【００３１】
なお、ローパスフィルタ回路ＬＰＦ１，ＬＰＦ２，ＬＰＦ３およびハイパスフィルタＨＰＦが形成する減衰極周波数の値は、厳密に上述の値とする必要はなく、各値の±０．０２５ＧＨｚ程度の範囲であれば良い。例えば、ローパスフィルタ回路ＬＰＦ１の減衰極周波数は、３．４７０〜３．５２０ＧＨｚの範囲内とし、ローパスフィルタ回路ＬＰＦ２の減衰極周波数は、１．７２２〜１．７７２ＧＨｚの範囲内とし、ローパスフィルタ回路ＬＰＦ３の減衰極周波数は、１．８０５〜１．８５５ＧＨｚの範囲内とし、ハイパスフィルタＨＰＦの減衰極周波数は、０．８７２５〜０．９２２５ＧＨｚの範囲内としても良い。
【００３２】
スイッチ回路ＳＷ２と受信端子ＲＸ２ａ，ＲＸ２ｂとを接続する信号経路には、ＥＧＳＭシステムの受信周波数帯域に対応したＳＡＷフィルタ回路ＳＡＷ２が配設されている。スイッチ回路ＳＷ３４と受信端子ＲＸ３ａ，ＲＸ３ｂとを接続する信号経路には、ＤＣＳシステムの受信周波数帯域に対応したＳＡＷフィルタ回路ＳＡＷ３が配設されている。スイッチ回路ＳＷ３４と受信端子ＲＸ４ａ，ＲＸ４ｂとを接続する信号経路には、ＰＣＳシステムの受信周波数帯域に対応したＳＡＷフィルタ回路ＳＡＷ４が配設されている。
【００３３】
Ａ−（３）．アンテナ切換モジュール１０のフィルタ特性：
ハイパスフィルタ回路ＨＰＦおよびローパスフィルタ回路ＬＰＦ２のフィルタ特性について説明する。図４は、ハイパスフィルタ回路ＨＰＦおよびローパスフィルタ回路ＬＰＦ２のフィルタ特性の概略を示す説明図である。図４中の上段には、横軸を周波数、縦軸を挿入損失とし、ハイパスフィルタ回路ＨＰＦのフィルタ特性の概略を曲線Ｌｈｆによって示す。図４中の下段には、上段と同様にして、ローパスフィルタ回路ＬＰＦ２のフィルタ特性の概略を曲線Ｌｌｆ２によって示す。
【００３４】
図４には、ハイパスフィルタ回路ＨＰＦおよびローパスフィルタ回路ＬＰＦ２をダイプレクサ回路ＤＰとして接続するのではなく、各フィルタを単体で回路接続した場合のフィルタ特性を、それぞれ曲線Ｌｈｆ＊，Ｌｌｆ２＊で示す。なお、図４に示す各特性は、減衰極の位置関係を説明するためのものであり、実際の挿入損失のレベルを正確に示すものではない。
【００３５】
ハイパスフィルタ回路ＨＰＦのフィルタ特性Ｌｈｆは、ＤＣＳシステムの通信周波数帯域（１．７１０〜１．８８０ＧＨｚ）およびＰＣＳシステムの通信周波数帯域（１．８５０〜１．９９０ＧＨｚ）を通過させ、既述した「０．８９７５ＧＨｚ」に減衰極Ｐｈｆを形成する。ローパスフィルタ回路ＬＰＦ２のフィルタ特性Ｌｌｆ２は、ＥＧＳＭシステムの通信周波数帯域（０．８８０〜０．９６０ＧＨｚ）を通過させ、既述した「１．７４７５ＧＨｚ」に減衰極Ｐｌｆ２を形成する。
【００３６】
ローパスフィルタ回路ＬＰＦ２は、その減衰極Ｐｌｆ２周辺の周波数の電力エネルギを、他の周波数よりも多くハイパスフィルタ回路ＨＰＦに反射する。従って、ハイパスフィルタ回路ＨＰＦは、結果的に、この周波数近傍の信号をより多く通過させる。すなわち、この反射された電力エネルギを受けるハイパスフィルタ回路ＨＰＦのフィルタ特性Ｌｈｆは、ローパスフィルタ回路ＬＰＦ２の減衰極Ｐｌｆ２周辺の周波数の挿入損失が、単体のフィルタ特性Ｌｈｆ＊よりも低減することとなる（図４上段）。なお、既述した通り減衰極Ｐｌｆ２の周波数（１．７４７５ＧＨｚ）は、ＤＣＳシステムの送信周波数帯域の中心周波数である。
【００３７】
ハイパスフィルタ回路ＨＰＦは、その減衰極Ｐｈｆ周辺の周波数の電力エネルギを、他の周波数よりも多くローパスフィルタ回路ＬＰＦ２に反射する。従って、ローパスフィルタ回路ＬＰＦ２は、結果的に、この周波数近傍の信号をより多く通過させる。すなわち、この反射された電力エネルギを受けるローパスフィルタ回路ＬＰＦ２のフィルタ特性Ｌｌｆ２は、ハイパスフィルタ回路ＨＰＦの減衰極Ｐｈｆ周辺の周波数の挿入損失が、単体のフィルタ特性Ｌｌｆ２＊よりも低減することとなる（図４下段）。なお、既述した通り減衰極Ｐｈｆの周波数（０．８９７５ＧＨｚ）は、ＥＧＳＭシステムの送信周波数帯域の中心周波数である。
【００３８】
送信端子ＴＸ２とアンテナ端子ＡＮＴとの間のフィルタ特性について説明する。図５は、送信端子ＴＸ２とアンテナ端子ＡＮＴとの間のフィルタ特性の概略を示す説明図である。図５中の最下段には、横軸を周波数、縦軸を挿入損失として、送信端子ＴＸ２とアンテナ端子ＡＮＴとの間のフィルタ特性の概略を曲線Ｌ（ｔ２−ａ）によって示す。
【００３９】
図５中の一段目には、横軸を周波数、縦軸を挿入損失として、ローパスフィルタ回路ＬＰＦ１のフィルタ特性の概略を曲線Ｌｌｆ１によって示す。図５中の二段目には、一段目と同様にして、ローパスフィルタ回路ＬＰＦ２のフィルタ特性の概略を曲線Ｌｌｆ２によって示す。図５中の三段目には、一段目と同様にして、ローパスフィルタ回路ＬＰＦ３のフィルタ特性の概略を曲線Ｌｌｆ３によって示す。なお、図５に示す各特性は、減衰極の位置関係を説明するためのものであり、実際の挿入損失のレベルを正確に示すものではない。
【００４０】
ローパスフィルタ回路ＬＰＦ１のフィルタ特性Ｌｌｆ１は、ＥＧＳＭおよびＤＣＳ，ＰＣＳシステムの通信周波数帯域（０．８８０〜１．９９０ＧＨｚ）を通過させ、既述した「３．４９５ＧＨｚ」に減衰極Ｐｌｆ１を形成する。ローパスフィルタ回路ＬＰＦ２のフィルタ特性Ｌｌｆ２は、ＥＧＳＭシステムの通信周波数帯域（０．８８０〜０．９６０ＧＨｚ）を通過させ、既述した「１．７４７５ＧＨｚ」に減衰極Ｐｌｆ２を形成する。ローパスフィルタ回路ＬＰＦ３のフィルタ特性Ｌｌｆ３は、ＥＧＳＭシステムの通信周波数帯域（０．８８０〜０．９６０ＧＨｚ）を通過させ、既述した「１．８３０ＧＨｚ」に減衰極Ｐｌｆ３を形成する。
【００４１】
送信端子ＴＸ２から入力された入力された信号は、ローパスフィルタ回路ＬＰＦ３，スイッチ回路ＳＷ２，ダイプレクサ回路ＤＰ内のローパスフィルタ回路ＬＰＦ２，ローパスフィルタ回路ＬＰＦ１の順に経由して、アンテナ端子ＡＮＴから出力される。この際における送信端子ＴＸ２とアンテナ端子ＡＮＴとの間のフィルタ特性Ｌ（ｔ２−ａ）は、フィルタ特性Ｌｌｆ１，Ｌｌｆ２，Ｌｌｆ３を組み合わせた特性となる。フィルタ特性Ｌ（ｔ２−ａ）は、ＥＧＳＭシステムの通信周波数帯域（０．８８０〜０．９６０ＧＨｚ）を通過させ、ＥＧＳＭシステムの送信周波数帯域に対する二次高調波帯域（１．７６０〜１．８３０ＧＨｚ）にかけて幅広く減衰帯域を形成し、ＤＣＳシステムの通信周波数帯域に対する二次高調波帯域（３．４２〜３．５７ＧＨｚ）内に減衰極を形成する。
【００４２】
Ａ−（４）．アンテナ切換回路ＡＣ１の等価回路の一例：
アンテナ切換モジュール１０が形成するアンテナ切換回路ＡＣ１の等価回路の一例について説明する。図６は、図３に示したアンテナ切換回路ＡＣ１のブロック図の等価回路の一例を示す回路図である。
【００４３】
ローパスフィルタ回路ＬＰＦ１には、アンテナ端子ＡＮＴ側から順に、片側がグランドに接続されるコンデンサＣ１１，Ｃ１３，Ｃ１５が接続されている。コンデンサＣ１１，Ｃ１３間には、コンデンサＣ１２とコイルＬ１２とが並行して接続され、コンデンサＣ１３，Ｃ１５間には、コンデンサＣ１４とコイルＬ１４とが並行して接続され、多段のローパスフィルタ（ＬＣエリピティックフィルタ）として構成されている。
【００４４】
ローパスフィルタ回路ＬＰＦ２には、ローパスフィルタ回路ＬＰＦ１側にコイルＬ２１が接続され、その後段は、コイルＬ２２およびコンデンサＣ２２を介してグランドに接続され、ＬＣフィルタとして構成されている。ハイパスフィルタ回路ＨＰＦには、ローパスフィルタ回路ＬＰＦ１側から順に、コンデンサＣ２５，Ｃ２７が直列して接続されている。コンデンサＣ２５，Ｃ２７間は、コイルＬ２６およびコンデンサＣ２６を介してグランドに接続され、ＬＣフィルタとして構成されている。
【００４５】
スイッチ回路ＳＷ２における受信端子ＲＸ２ａ，ＲＸ２ｂ側の信号経路には、ダイプレクサ回路ＤＰ側から順に、片側がグラントに接続されるコンデンサＣ３１と、コイルＬ３２と、カソード側がコンデンサＣ３３を介してグランドに接続されるダイオードＤ３３とが接続されている。ダイオードＤ３３とコンデンサＣ３３との間は、抵抗器Ｒ３４を介して制御端子ＶＣ２が接続されている。スイッチ回路ＳＷ２における送信端子ＴＸ２側の信号経路には、ダイプレクサ回路ＤＰ側から順に、カソード側がダイプレクサ回路ＤＰ側に接続されたダイオードＤ３５と、片側がグランドに接続されるコイルＬ３６とが接続されている。このスイッチ回路ＳＷ２は、制御端子ＶＣ２に印加される制御電圧によって、受信端子ＲＸ２ａ，ＲＸ２ｂ側および送信端子ＴＸ２側の信号経路の切換を行う。
【００４６】
スイッチ回路ＳＷ２と受信端子ＲＸ２ａ，ＲＸ２ｂとの間の信号経路には、平衡型のＳＡＷフィルタ回路ＳＡＷ２が接続され、受信端子ＲＸ２ａ，ＲＸ２ｂ間には、コイルＬ６２が接続されている。なお、ＳＡＷフィルタ回路ＳＡＷ２は、ＳＡＷフィルタ１２１に形成されている。
【００４７】
ローパスフィルタ回路ＬＰＦ３には、スイッチ回路ＳＷ２側から順に、片側がグランドに接続されるコンデンサＣ４１，Ｃ４３が接続され、コンデンサＣ４１，Ｃ４３間には、コンデンサＣ４２とコイルＬ４２とが並列して接続され、ローパスフィルタ（ＬＣエリピティックフィルタ）として構成されている。
【００４８】
スイッチ回路ＳＷ３４における受信端子ＲＸ３ａ，ＲＸ３ｂ側の信号経路には、ダイプレクサ回路ＤＰ側から順に、コイルＬ５１が接続され、その後段は、カソード側がコンデンサＣ５３を介してグランドに接続されるダイオードＤ５２が接続され、ダイオードＤ５２とコンデンサＣ５３との間は、片側がグランドに接続される抵抗器Ｒ５３が接続されている。スイッチ回路ＳＷ３４における受信端子ＲＸ４ａ，ＲＸ４ｂ側の信号経路には、ダイプレクサ回路ＤＰ側から順に、カソード側がダイプレクサ回路ＤＰ側に接続されたダイオードＤ５４と、コンデンサＣ５４およびコイルＬ５４とが並列に接続され、その後段は、コイルＬ５５を介して制御端子ＶＣ４が接続されている。このスイッチ回路ＳＷ３４は、制御端子ＶＣ４に印加される制御電圧によって、受信端子ＲＸ４ａ，ＲＸ４ｂ側の信号経路の入り切り（ＯＮ／ＯＦＦ）の切換を行う。
【００４９】
スイッチ回路ＳＷ３４における送信端子ＴＸ３４側の信号経路には、ダイプレクサ回路ＤＰ側から順に、カソード側がダイプレクサ回路ＤＰ側に接続されたダイオードＤ５７と、コンデンサＣ５７およびコイルＬ５７とが並列に接続され、その後段は、コイルＬ５８を介して制御端子ＶＣ３４が接続されている。このスイッチ回路ＳＷ３４は、制御端子ＶＣ３４に印加される制御電圧によって、送信端子ＴＸ３４側の信号経路の入り切り（ＯＮ／ＯＦＦ）の切換を行う。
【００５０】
スイッチ回路ＳＷ３４と受信端子ＲＸ３ａ，ＲＸ３ｂとを接続する信号経路には、平衡型のＳＡＷフィルタ回路ＳＡＷ３が接続され、受信端子ＲＸ３ａ，ＲＸ３ｂ間には、コイルＬ６３が接続されている。スイッチ回路ＳＷ３４と受信端子ＲＸ４ａ，ＲＸ４ｂとを接続する信号経路には、平衡型のＳＡＷフィルタ回路ＳＡＷ４が接続され、受信端子ＲＸ４ａ，ＲＸ４ｂ間には、コイルＬ６４が接続されている。なお、ＳＡＷフィルタ回路ＳＡＷ３，ＳＡＷ４は、ＳＡＷフィルタ１２２に形成されている。
【００５１】
これらの回路構成によって、アンテナ切換回路ＡＣ１は、制御端子ＶＣ２，ＶＣ３４，ＶＣ４の各制御電圧に基づいて、ＥＧＳＭ，ＤＣＳ，ＰＣＳの３つのシステムの各送受信系と、１つのアンテナ部との間における信号経路の切換を行うことができる。
【００５２】
Ａ−（５）．アンテナ切換モジュール１０の製造方法：
アンテナ切換モジュール１０の製造方法について説明する。図７は、アンテナ切換モジュール１０の製造工程の概略を示す説明図である。アンテナ切換モジュール１０を製造する際には、始めに、誘電体材料の一つである低温焼成可能なガラスセラミックス材料から成るグリーンシートを複数用意する（工程Ｓ１１０）。グリーンシートの大きさは、複数個分の積層体１００の大きさである。
【００５３】
その後、各グリーンシートに、積層体１００の隣接する各層を導通させるスルーホールと、アンテナ切換回路ＡＣ１を形成する導体パターンとを、積層体１００の各層に対応させて形成する（工程Ｓ１２０）。スルーホールについては、スルーホールを形成する箇所に穴を開けた後、その穴に導体ペーストを充填させることによって形成する。導体パターンについては、導体ペーストを印刷することによって形成する。なお、本実施例の導体ペーストの材料は、銀を主体とする材料を用いる。
【００５４】
この工程において、積層体１００の最下層表面に対応するグリーンシートには、図２に示した種々の接続端子およびグランドパターン１９１，１９２、１９３、１９４となる導体パターンが形成される。
【００５５】
導体パターンを形成した後（工程Ｓ１２０）、積層体１００の各層の導体パターンが形成されたグリーンシートを、積層体１００における各層の並びの順で積層し（工程Ｓ１３０）、積層したグリーンシートを焼成する（工程Ｓ１４０）。その後、焼成したグリーンシートにおける各積層体１００の表面に現れている導体パターンにニッケル−金メッキを施し（工程Ｓ１５０）、各積層体１００の最上層表面に、ダイオード１３１やＳＡＷフィルタ１２１等の実装部品やシールドキャップ１６０を半田付けする（工程Ｓ１６０）。その後、各積層体１００を形成する個片毎に分割することで（工程Ｓ１７０）、アンテナ切換モジュール１０が完成する。
【００５６】
以上説明した第１の実施例のアンテナ切換モジュール１０によれば、ローパスフィルタ回路ＬＰＦ１の配置および特性によって、ＤＣＳシステムおよびＥＧＳＭシステムの通信周波数帯域に共通した高調波（３．４２０〜３．５７０ＧＨｚ）を減衰させると共に、ローパスフィルタ回路ＬＰＦ１の挿入損失が急増する周波数を、ＤＣＳシステムおよびＥＧＳＭシステムの通信周波数帯域から充分に離し、通信信号の挿入損失の低減を図ることができる。また、ローパスフィルタ回路ＬＰＦ２の配置および特性によって、ローパスフィルタ回路ＬＰＦ２側では、ＥＧＳＭシステムの通信周波数帯域に対する二次高調波近傍の不要な信号を減衰させると共に、ローパスフィルタ回路ＬＰＦ２に結合されたダイプレクサ回路ＤＰ内のハイパスフィルタ回路ＨＰＦ側では、減衰極周波数近傍となるＤＣＳシステムの通信周波数帯域の挿入損失の低減を図ることができる。また、ローパスフィルタ回路ＬＰＦ３の配置および特性によって、ローパスフィルタ回路ＬＰＦ２と共に、ＥＧＳＭシステムの送信周波数帯域に対する二次高調波を減衰させる減衰帯域を幅広く確保することができる。
【００５７】
また、ローパスフィルタ回路ＬＰＦ１の減衰極周波数は、ＰＣＳシステムの通信周波数帯域に対する二次高調波帯域内の周波数（３．４９５ＧＨｚ）であるため、高調波の中でも比較的レベルの高い次数の高調波を充分に減衰させることができる。また、ローパスフィルタ回路ＬＰＦ２の減衰極周波数は、ＤＣＳシステムの送信周波数帯域の中心周波数（１．７４７５ＧＨｚ）であるため、ＤＣＳシステムの送信信号に対しての挿入損失の低減を重視したフィルタ特性を得ることができる。また、ローパスフィルタ回路ＬＰＦ３の減衰極周波数は、ローパスフィルタ回路ＬＰＦ２の減衰極周波数（１．７４７５ＧＨｚ）に対応して、ＥＧＳＭシステムの最大送信周波数の２倍波となる周波数（１．８３０ＧＨｚ）としたため、ＥＧＳＭシステムの送信信号の二次高調波を減衰させる減衰帯域を充分に確保することができる。
【００５８】
また、ハイパスフィルタ回路ＨＰＦに結合されたダイプレクサ回路ＤＰ内のローパスフィルタ回路ＬＰＦ２側では、減衰極周波数近傍となるＥＧＳＭシステムの通信周波数帯域の挿入損失の低減を図ることができる。さらに、ハイパスフィルタ回路ＨＰＦの減衰極周波数は、ＥＧＳＭシステムの送信周波数帯域の中心周波数（０．８９７５ＧＨｚ）であるため、ＥＧＳＭシステムの送信信号に対して挿入損失の低減を重視したフィルタ特性を得ることができる。
【００５９】
Ｂ．第２の実施例：
本発明の第２の実施例であるアンテナ切換モジュール２０は、図３に示したアンテナ切換回路ＡＣ１と同様の回路構成であるアンテナ切換回路ＡＣ２を形成し、ハイパスフィルタ回路ＨＰＦ，ローパスフィルタ回路ＬＰＦ２，ＬＰＦ３の減衰極周波数が異なる以外は、第１の実施例のアンテナ切換モジュール１０の構成と同様である。
【００６０】
ローパスフィルタ回路ＬＰＦ２は、ＤＣＳシステムの受信周波数帯域（１．８０５〜１．８８０ＧＨｚ）の中心周波数である「１．８４２５ＧＨｚ」に減衰極を形成している。ハイパスフィルタ回路ＨＰＦは、ＥＧＳＭシステムの受信周波数帯域（０．９２５〜０．９６０ＧＨｚ）の中心周波数である「０．９４２５ＧＨｚ」に減衰極を形成している。ローパスフィルタ回路ＬＰＦ３は、ＥＧＳＭシステムの送信周波数帯域に対する二次高調波帯域（１．７６０〜１．８３０ＧＨｚ）の最小周波数である「１．７６０ＧＨｚ」に減衰極を形成している。
【００６１】
なお、ローパスフィルタ回路ＬＰＦ１，ＬＰＦ２，ＬＰＦ３およびハイパスフィルタＨＰＦが形成する減衰極周波数の値は、厳密に上述の値とする必要はなく、各値の±０．０２５ＧＨｚ程度の範囲であれば良い。例えば、ローパスフィルタ回路ＬＰＦ１の減衰極周波数は、３．４７０〜３．５２０ＧＨｚの範囲内とし、ローパスフィルタ回路ＬＰＦ２の減衰極周波数は、１．８１７〜１．８６７ＧＨｚの範囲内とし、ローパスフィルタ回路ＬＰＦ３の減衰極周波数は、１．７３５〜１．７８５ＧＨｚの範囲内とし、ハイパスフィルタＨＰＦの減衰極周波数は、０．９１７５〜０．９６７５ＧＨｚの範囲内としても良い。
【００６２】
第２の実施例におけるハイパスフィルタ回路ＨＰＦおよびローパスフィルタ回路ＬＰＦ２のフィルタ特性について説明する。図８は、第２の実施例におけるハイパスフィルタ回路ＨＰＦおよびローパスフィルタ回路ＬＰＦ２のフィルタ特性の概略を示す説明図である。図８中の上段には、横軸を周波数、縦軸を挿入損失として、ハイパスフィルタ回路ＨＰＦのフィルタ特性の概略を曲線Ｌｈｆによって示す。図８中の下段には、上段と同様にして、ローパスフィルタ回路ＬＰＦ２のフィルタ特性の概略を曲線Ｌｌｆ２によって示す。
【００６３】
図８には、ハイパスフィルタ回路ＨＰＦおよびローパスフィルタ回路ＬＰＦ２をダイプレクサ回路ＤＰとして結合するのではなく、各フィルタを単体で回路接続した場合のフィルタ特性を、それぞれ曲線Ｌｈｆ＊，Ｌｌｆ２＊で示す。なお、図８に示す各特性は、減衰極の位置関係を説明するためのものであり、実際の挿入損失のレベルを正確に示すものではない。
【００６４】
ハイパスフィルタ回路ＨＰＦのフィルタ特性Ｌｈｆは、ＤＣＳシステムの通信周波数帯域（１．７１０〜１．８８０ＧＨｚ）およびＰＣＳシステムの通信周波数帯域（１．８５０〜１．９９０ＧＨｚ）を通過させ、既述した「０．９４２５ＧＨｚ」に減衰極Ｐｈｆを形成する。ローパスフィルタ回路ＬＰＦ２のフィルタ特性Ｌｌｆ２は、ＥＧＳＭシステムの通信周波数帯域（０．８８０〜０．９６０ＧＨｚ）を通過させ、既述した「１．８４２５ＧＨｚ」に減衰極Ｐｌｆ２を形成する。
【００６５】
ローパスフィルタ回路ＬＰＦ２は、その減衰極Ｐｌｆ２周辺の周波数の電力エネルギを、他の周波数よりも多くハイパスフィルタ回路ＨＰＦに反射する。従って、ハイパスフィルタ回路ＨＰＦは、結果的に、この周波数近傍の信号をより多く通過させる。すなわち、この反射された電力エネルギを受けるハイパスフィルタ回路ＨＰＦのフィルタ特性Ｌｈｆは、ローパスフィルタ回路ＬＰＦ２の減衰極Ｐｌｆ２周辺の周波数の挿入損失が、単体のフィルタ特性Ｌｈｆ＊よりも低減することとなる（図８上段）。なお、既述した通り減衰極Ｐｌｆ２の周波数（１．８４２５ＧＨｚ）は、ＤＣＳシステムの受信周波数帯域の中心周波数である。
【００６６】
ハイパスフィルタ回路ＨＰＦは、その減衰極Ｐｈｆ周辺の周波数の電力エネルギを、他の周波数よりも多くローパスフィルタ回路ＬＰＦ２に反射する。従って、ローパスフィルタ回路ＬＰＦ２は、結果的に、この周波数近傍の信号をより多く通過させる。すなわち、この反射された電力エネルギを受けるローパスフィルタ回路ＬＰＦ２のフィルタ特性Ｌｌｆ２は、ハイパスフィルタ回路ＨＰＦの減衰極Ｐｈｆ周辺の周波数の挿入損失が、単体のフィルタ特性Ｌｌｆ２＊よりも低減することとなる（図８下段）。なお、既述した通り減衰極Ｐｈｆの周波数（０．９４２５ＧＨｚ）は、ＥＧＳＭシステムの受信周波数帯域の中心周波数である。
【００６７】
第２の実施例における送信端子ＴＸ２とアンテナ端子ＡＮＴとの間のフィルタ特性について説明する。図９は、第２の実施例における送信端子ＴＸ２とアンテナ端子ＡＮＴとの間のフィルタ特性の概略を示す説明図である。図９中の最下段には、横軸を周波数、縦軸を挿入損失として、送信端子ＴＸ２とアンテナ端子ＡＮＴとの間のフィルタ特性の概略を曲線Ｌ（ｔ２−ａ）によって示す。
【００６８】
図９中の一段目には、横軸を周波数、縦軸を挿入損失として、ローパスフィルタ回路ＬＰＦ１のフィルタ特性の概略を曲線Ｌｌｆ１によって示す。図９中の二段目には、一段目と同様にして、ローパスフィルタ回路ＬＰＦ２のフィルタ特性の概略を曲線Ｌｌｆ２によって示す。図９中の三段目には、一段目と同様にして、ローパスフィルタ回路ＬＰＦ３のフィルタ特性の概略を曲線Ｌｌｆ３によって示す。なお、図９に示す各特性は、減衰極の位置関係を説明するためのものであり、実際の挿入損失のレベルを正確に示すものではない。
【００６９】
ローパスフィルタ回路ＬＰＦ１のフィルタ特性Ｌｌｆ１は、ＥＧＳＭおよびＤＣＳ，ＰＣＳシステムの通信周波数帯域（０．８８０〜１．９９０ＧＨｚ）を通過させ、既述した「３．４９５ＧＨｚ」に減衰極Ｐｌｆ１を形成する。ローパスフィルタ回路ＬＰＦ２のフィルタ特性Ｌｌｆ２は、ＥＧＳＭシステムの通信周波数帯域（０．８８０〜０．９６０ＧＨｚ）を通過させ、既述した「１．８４２５ＧＨｚ」に減衰極Ｐｌｆ２を形成する。ローパスフィルタ回路ＬＰＦ３のフィルタ特性Ｌｌｆ３は、ＥＧＳＭシステムの通信周波数帯域（０．８８０〜０．９６０ＧＨｚ）を通過させ、既述した「１．７６０ＧＨｚ」に減衰極Ｐｌｆ３を形成する。
【００７０】
送信端子ＴＸ２から入力された入力された信号は、ローパスフィルタ回路ＬＰＦ３，スイッチ回路ＳＷ２，ダイプレクサ回路ＤＰ内のローパスフィルタ回路ＬＰＦ２，ローパスフィルタ回路ＬＰＦ１の順に経由して、アンテナ端子ＡＮＴから出力される。この際における送信端子ＴＸ２とアンテナ端子ＡＮＴとの間のフィルタ特性Ｌ（ｔ２−ａ）は、フィルタ特性Ｌｌｆ１，Ｌｌｆ２，Ｌｌｆ３を組み合わせた特性となる。フィルタ特性Ｌ（ｔ２−ａ）は、ＥＧＳＭシステムの通信周波数帯域（０．８８０〜０．９６０ＧＨｚ）を通過させ、ＥＧＳＭシステムの送信周波数帯域に対する二次高調波帯域（１．７６０〜１．８３０ＧＨｚ）にかけて幅広く減衰帯域を形成し、ＤＣＳシステムの通信周波数帯域に対する二次高調波帯域（３．４２〜３．５７ＧＨｚ）内に減衰極を形成する。
【００７１】
以上説明した第２の実施例のアンテナ切換モジュール２０によれば、ローパスフィルタ回路ＬＰＦ２の減衰極周波数は、ＤＣＳシステムの受信周波数帯域の中心周波数（１．８４２５ＧＨｚ）であるため、ＤＣＳシステムの受信信号に対しての挿入損失の低減を重視したフィルタ特性を得ることができる。また、ローパスフィルタ回路ＬＰＦ３の減衰極周波数は、ローパスフィルタ回路ＬＰＦ２の減衰極周波数（１．８４２５ＧＨｚ）に対応して、ＥＧＳＭシステムの最小送信周波数の２倍波となる周波数（１．７６０ＧＨｚ）としたため、ＥＧＳＭシステムの送信信号の二次高調波を減衰させる減衰帯域を充分に確保することができる。また、ハイパスフィルタ回路ＨＰＦの減衰極周波数は、ＥＧＳＭシステムの受信周波数帯域の中心周波数（０．９４２５ＧＨｚ）であるため、ＥＧＳＭシステムの受信信号に対して挿入損失の低減を重視したフィルタ特性を得ることができる。
【００７２】
Ｃ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。例えば、アンテナ切換回路ＡＣ１のスイッチ回路ＳＷ３４に代えて、図１０に示すアンテナ切換回路ＡＣ３のように、ＤＣＳ／ＰＣＳ系における送信系と受信系との信号経路の切換を行うスイッチ回路ＳＷｔｒと、その受信系のＤＣＳ系とＰＣＳ系との信号経路の切換を行うスイッチ回路ＳＷｒとを備えることとしても良い。また、アンテナ切換回路ＡＣ１のスイッチ回路ＳＷ３４に代えて、図１１に示すアンテナ切換回路ＡＣ４のように、ＤＣＳ系の信号経路の切換を行うスイッチ回路ＳＷ３を備え、ＥＧＳＭおよびＤＣＳの２つの通信システムに準拠した、いわゆるデュアルバンドの携帯電話に搭載されるアンテナ切換モジュールに適用しても良い。また、スイッチ回路ＳＷ２を、ＥＧＳＭ系に加えてＧＳＭ８５０(Global System for Mobile Communications 850)系の信号経路の切換を行うスイッチ回路としたアンテナ切換モジュールに適用しても良い。
【図面の簡単な説明】
【００７３】
【図１】アンテナ切換モジュール１０の外観構造を示す斜視図である。
【図２】アンテナ切換モジュール１０の底面図である。
【図３】アンテナ切換回路ＡＣ１の概略を示すブロック図である。
【図４】ハイパスフィルタ回路ＨＰＦおよびローパスフィルタ回路ＬＰＦ２のフィルタ特性の概略を示す説明図である。
【図５】送信端子ＴＸ２とアンテナ端子ＡＮＴとの間のフィルタ特性の概略を示す説明図である。
【図６】図３に示したアンテナ切換回路ＡＣ１のブロック図の等価回路の一例を示す回路図である。
【図７】アンテナ切換モジュール１０の製造工程の概略を示す説明図である。
【図８】第２の実施例におけるハイパスフィルタ回路ＨＰＦおよびローパスフィルタ回路ＬＰＦ２のフィルタ特性の概略を示す説明図である。
【図９】第２の実施例における送信端子ＴＸ２とアンテナ端子ＡＮＴとの間のフィルタ特性の概略を示す説明図である。
【図１０】アンテナ切換回路ＡＣ３の概略を示すブロック図である。
【図１１】アンテナ切換回路ＡＣ４の概略を示すブロック図である。
【符号の説明】
【００７４】
１０，２０...アンテナ切換モジュール
１００...積層体
１２１，１２２...ＳＡＷフィルタ
１３１...ダイオード
１４１...コイル
１５１...抵抗器
１６０...シールドキャップ
１９１，１９２，１９３，１９４...グランドパターン
ＡＣ１，ＡＣ２，ＡＣ３，ＡＣ４...アンテナ切換回路
ＡＮＴ...アンテナ端子
ＴＸ２，ＴＸ３，ＴＸ３４...送信端子
ＶＣ２，ＶＣ３４，ＶＣ４...制御端子
ＲＸ２〜４ａ，ＲＸ２〜４ｂ...受信端子
ＤＰ...ダイプレクサ回路
ＳＷ２，ＳＷ３４，ＳＷｔｒ，ＳＷｒ...スイッチ回路
ＨＰＦ...ハイパスフィルタ回路
ＬＰＦ１，ＬＰＦ２，ＬＰＦ３...ローパスフィルタ回路
ＳＡＷ２，ＳＡＷ３,ＳＡＷ４...ＳＡＷフィルタ回路
【図１】
2005260837.tif 000003
【図２】
2005260837.tif 000004
【図３】
2005260837.tif 000005
【図４】
2005260837.tif 000006
【図５】
2005260837.tif 000007
【図６】
2005260837.tif 000008
【図７】
2005260837.tif 000009
【図８】
2005260837.tif 000010
【図９】
2005260837.tif 000011
【図１０】
2005260837.tif 000012
【図１１】
2005260837.tif 000013